(57)【特許請求の範囲】
【請求項１】
無線ネットワークを用いて位置情報交換を行い、グローバルにアドレス指定可能な無線ローカルエリアネットワークがある場所、及びローカルにアドレス指定可能な無線ローカルエリアネットワークがある場所のいずれかに、移動局を誘導させるためのＡＲ（Augmented Reality:拡張現実感）機能を含む無線通信システムであって、
当該無線通信システムにおける移動局は、無線ネットワーク用途選択機能を備え、
前記無線ネットワーク用途選択機能は、
利用可能な無線ネットワークの中で、前記ローカルにアドレス指定可能な無線ローカルエリアネットワークと前記グローバルにアドレス指定可能な無線ローカルエリアネットワークとを区別することと、
前記ローカルにアドレス指定可能な無線ローカルエリアネットワークと前記グローバルにアドレス指定可能な無線ローカルエリアネットワークに基づいて無線インタフェースの用途選択をつけることと、
前記無線インタフェースの用途選択に基づいて、アプリケーションのための無線インタフェースを選択することとを含み、
前記無線インタフェースの用途選択をつけることは、
前記ローカルにアドレス指定可能な無線ローカルエリアネットワークが利用可能である場合、前記無線ローカルエリアネットワークの用途選択をアドホック通信用に設定することと、
前記グローバルにアドレス指定可能な無線ローカルエリアネットワークが利用可能である場合、前記無線ローカルエリアネットワークの用途選択を自動ダウンロード用に設定することと、
前記グローバルにアドレス指定可能な無線ローカルエリアネットワークが利用可能でない場合、前記無線ローカルエリアネットワークの用途選択を位置情報交換用に設定することとを含み、
前記アプリケーションのための無線インタフェースを選択することは、
前記アプリケーションによる前記無線ローカルエリアネットワークのアドホック通信用の用途選択を示す情報を取得し、前記無線ローカルエリアネットワークのアドホック通信用の用途選択に基づいて、前記アプリケーションのための前記ローカルにアドレス指定可能な無線ローカルエリアネットワーク用のインタフェースを選択することと、
前記アプリケーションによる前記無線ローカルエリアネットワークの自動ダウンロード用の用途選択を示す情報を取得し、前記無線ローカルエリアネットワークの自動ダウンロード用の用途選択に基づいて、前記アプリケーションのための前記グローバルにアドレス指定可能な無線ローカルエリアネットワーク用のインタフェースを選択することと、
前記アプリケーションによる前記無線ローカルエリアネットワークの位置情報交換用の用途選択を示す情報を取得し、前記無線ローカルエリアネットワークの位置情報交換用の用途選択に基づいて、前記アプリケーションのための移動体通信網インタフェースを選択することとを含む、
無線通信システム。
【請求項２】
無線ネットワークを用いて位置情報交換を行い、グローバルにアドレス指定可能な無線ローカルエリアネットワークがある場所、及びローカルにアドレス指定可能な無線ローカルエリアネットワークがある場所のいずれかに、移動局を誘導させるためのＡＲ（Augmented Reality:拡張現実感）機能を含む無線通信システムにおける移動局であって、
無線ネットワーク用途選択機能を備え、
前記無線ネットワーク用途選択機能は、
利用可能な無線ネットワークの中で、前記ローカルにアドレス指定可能な無線ローカルエリアネットワークと前記グローバルにアドレス指定可能な無線ローカルエリアネットワークとを区別することと、
前記ローカルにアドレス指定可能な無線ローカルエリアネットワークと前記グローバルにアドレス指定可能な無線ローカルエリアネットワークに基づいて無線インタフェースの用途選択をつけることと、
前記無線インタフェースの用途選択に基づいて、アプリケーションのための無線インタフェースを選択することとを含み、
前記無線インタフェースの用途選択をつけることは、
前記ローカルにアドレス指定可能な無線ローカルエリアネットワークが利用可能である場合、前記無線ローカルエリアネットワークの用途選択をアドホック通信用に設定することと、
前記グローバルにアドレス指定可能な無線ローカルエリアネットワークが利用可能である場合、前記無線ローカルエリアネットワークの用途選択を自動ダウンロード用に設定することと、
前記グローバルにアドレス指定可能な無線ローカルエリアネットワークが利用可能でない場合、前記無線ローカルエリアネットワークの用途選択を位置情報交換用に設定することとを含み、
前記アプリケーションのための無線インタフェースを選択することは、
前記アプリケーションによる前記無線ローカルエリアネットワークのアドホック通信用の用途選択を示す情報を取得し、前記無線ローカルエリアネットワークのアドホック通信用の用途選択に基づいて、前記アプリケーションのための前記ローカルにアドレス指定可能な無線ローカルエリアネットワーク用のインタフェースを選択することと、
前記アプリケーションによる前記無線ローカルエリアネットワークの自動ダウンロード用の用途選択を示す情報を取得し、前記無線ローカルエリアネットワークの自動ダウンロード用の用途選択に基づいて、前記アプリケーションのための前記グローバルにアドレス指定可能な無線ローカルエリアネットワーク用のインタフェースを選択することと、
前記アプリケーションによる前記無線ローカルエリアネットワークの位置情報交換用の用途選択を示す情報を取得し、前記無線ローカルエリアネットワークの位置情報交換用の用途選択に基づいて、前記アプリケーションのための移動体通信網インタフェースを選択することとを含む、
移動局。
【請求項３】
無線ネットワークを用いて位置情報交換を行い、グローバルにアドレス指定可能な無線ローカルエリアネットワークがある場所、及びローカルにアドレス指定可能な無線ローカルエリアネットワークがある場所のいずれかに、移動局を誘導させるためのＡＲ（Augmented Reality:拡張現実感）機能を含むＡＲ位置情報交換システムであって、
当該ＡＲ位置情報交換システムにおける移動局は、無線ネットワーク用途選択機能を備え、
前記無線ネットワーク用途選択機能は、
利用可能な無線ネットワークの中で、前記ローカルにアドレス指定可能な無線ローカルエリアネットワークと前記グローバルにアドレス指定可能な無線ローカルエリアネットワークとを区別することと、
前記ローカルにアドレス指定可能な無線ローカルエリアネットワークと前記グローバルにアドレス指定可能な無線ローカルエリアネットワークに基づいて無線インタフェースの用途選択をつけることと、
前記無線インタフェースの用途選択に基づいて、アプリケーションのための無線インタフェースを選択することとを含み、
前記無線インタフェースの用途選択をつけることは、
前記ローカルにアドレス指定可能な無線ローカルエリアネットワークが利用可能である場合、前記無線ローカルエリアネットワークの用途選択をアドホック通信用に設定することと、
前記グローバルにアドレス指定可能な無線ローカルエリアネットワークが利用可能である場合、前記無線ローカルエリアネットワークの用途選択を自動ダウンロード用に設定することと、
前記グローバルにアドレス指定可能な無線ローカルエリアネットワークが利用可能でない場合、前記無線ローカルエリアネットワークの用途選択を位置情報交換用に設定することとを含み、
前記アプリケーションのための無線インタフェースを選択することは、
前記アプリケーションによる前記無線ローカルエリアネットワークのアドホック通信用の用途選択を示す情報を取得し、前記無線ローカルエリアネットワークのアドホック通信用の用途選択に基づいて、前記アプリケーションのための前記ローカルにアドレス指定可能な無線ローカルエリアネットワーク用のインタフェースを選択することと、
前記アプリケーションによる前記無線ローカルエリアネットワークの自動ダウンロード用の用途選択を示す情報を取得し、前記無線ローカルエリアネットワークの自動ダウンロード用の用途選択に基づいて、前記アプリケーションのための前記グローバルにアドレス指定可能な無線ローカルエリアネットワーク用のインタフェースを選択することと、
前記アプリケーションによる前記無線ローカルエリアネットワークの位置情報交換用の用途選択を示す情報を取得し、前記無線ローカルエリアネットワークの位置情報交換用の用途選択に基づいて、前記アプリケーションのための移動体通信網インタフェースを選択することとを含む、
ＡＲ位置情報交換システム。
【請求項４】
無線ネットワークを用いて位置情報交換を行い、グローバルにアドレス指定可能な無線ローカルエリアネットワークがある場所、及びローカルにアドレス指定可能な無線ローカルエリアネットワークがある場所のいずれかに、移動局を誘導させるためのＡＲ（Augmented Reality:拡張現実感）機能を含む無線通信システムにおけるＡＲ位置情報交換方法であって、
利用可能な無線ネットワークの中で、前記ローカルにアドレス指定可能な無線ローカルエリアネットワークと前記グローバルにアドレス指定可能な無線ローカルエリアネットワークとを区別することと、
前記ローカルにアドレス指定可能な無線ローカルエリアネットワークと前記グローバルにアドレス指定可能な無線ローカルエリアネットワークに基づいて無線インタフェースの用途選択をつけることと、
前記無線インタフェースの用途選択に基づいて、アプリケーションのための無線インタフェースを選択することとを含み
前記無線インタフェースの用途選択をつけることは、
前記ローカルにアドレス指定可能な無線ローカルエリアネットワークが利用可能である場合、前記無線ローカルエリアネットワークの用途選択をアドホック通信用に設定することと、
前記グローバルにアドレス指定可能な無線ローカルエリアネットワークが利用可能である場合、前記無線ローカルエリアネットワークの用途選択を自動ダウンロード用に設定することと、
前記グローバルにアドレス指定可能な無線ローカルエリアネットワークが利用可能でない場合、前記無線ローカルエリアネットワークの用途選択を位置情報交換用に設定することとを含み、
前記アプリケーションのための無線インタフェースを選択することは、
前記アプリケーションによる前記無線ローカルエリアネットワークのアドホック通信用の用途選択を示す情報を取得し、前記無線ローカルエリアネットワークのアドホック通信用の用途選択に基づいて、前記アプリケーションのための前記ローカルにアドレス指定可能な無線ローカルエリアネットワーク用のインタフェースを選択することと、
前記アプリケーションによる前記無線ローカルエリアネットワークの自動ダウンロード用の用途選択を示す情報を取得し、前記無線ローカルエリアネットワークの自動ダウンロード用の用途選択に基づいて、前記アプリケーションのための前記グローバルにアドレス指定可能な無線ローカルエリアネットワーク用のインタフェースを選択することと、
前記アプリケーションによる前記無線ローカルエリアネットワークの位置情報交換用の用途選択を示す情報を取得し、前記無線ローカルエリアネットワークの位置情報交換用の用途選択に基づいて、前記アプリケーションのための移動体通信網インタフェースを選択することとを含む、
ＡＲ位置情報交換方法。
【請求項５】
無線ネットワークを用いて位置情報交換を行い、グローバルにアドレス指定可能な無線ローカルエリアネットワークがある場所、及びローカルにアドレス指定可能な無線ローカルエリアネットワークがある場所のいずれかに、移動局を誘導させるためのＡＲ（Augmented Reality:拡張現実感）機能を含む無線通信システムにおけるＡＲ位置情報交換方法のプログラムであって、
利用可能な無線ネットワークの中で、前記ローカルにアドレス指定可能な無線ローカルエリアネットワークと前記グローバルにアドレス指定可能な無線ローカルエリアネットワークとを区別することと、
前記ローカルにアドレス指定可能な無線ローカルエリアネットワークと前記グローバルにアドレス指定可能な無線ローカルエリアネットワークに基づいて無線インタフェースの用途選択をつけることと、
前記無線インタフェースの用途選択に基づいて、アプリケーションのための無線インタフェースを選択することとをコンピュータに実行させ、
前記無線インタフェースの用途選択をつけることは、
前記ローカルにアドレス指定可能な無線ローカルエリアネットワークが利用可能である場合、前記無線ローカルエリアネットワークの用途選択をアドホック通信用に設定することと、
前記グローバルにアドレス指定可能な無線ローカルエリアネットワークが利用可能である場合、前記無線ローカルエリアネットワークの用途選択を自動ダウンロード用に設定することと、
前記グローバルにアドレス指定可能な無線ローカルエリアネットワークが利用可能でない場合、前記無線ローカルエリアネットワークの用途選択を位置情報交換用に設定することとを含み、
前記アプリケーションのための無線インタフェースを選択することは、
前記アプリケーションによる前記無線ローカルエリアネットワークのアドホック通信用の用途選択を示す情報を取得し、前記無線ローカルエリアネットワークのアドホック通信用の用途選択に基づいて、前記アプリケーションのための前記ローカルにアドレス指定可能な無線ローカルエリアネットワーク用のインタフェースを選択することと、
前記アプリケーションによる前記無線ローカルエリアネットワークの自動ダウンロード用の用途選択を示す情報を取得し、前記無線ローカルエリアネットワークの自動ダウンロード用の用途選択に基づいて、前記アプリケーションのための前記グローバルにアドレス指定可能な無線ローカルエリアネットワーク用のインタフェースを選択することと、
前記アプリケーションによる前記無線ローカルエリアネットワークの位置情報交換用の用途選択を示す情報を取得し、前記無線ローカルエリアネットワークの位置情報交換用の用途選択に基づいて、前記アプリケーションのための移動体通信網インタフェースを選択することとを含む、
プログラム。
【発明の詳細な説明】
【技術分野】
【０００１】
本発明は、無線通信システム、ＡＲ位置情報配信装置、移動局、ＡＲ位置情報交換システムおよびＡＲ位置情報交換方法に関し、特に、移動体通信網（無線広域ネットワーク（ＷＷＡＮ：Wireless Wide Area Network）を用いて位置情報交換を行い、グローバルにアドレス指定可能な無線ネットワークがある場所や、ローカルにアドレス指定可能な無線ネットワークがある場所に、人間を誘導させるためのＡＲ（Augmented Reality：拡張現実感）機能を持つ無線通信システムの技術に関する。
【０００２】
又、ＡＲ機能を持つ無線通信システムにおいて、ＡＲ位置情報配信装置、移動端末、ＡＲ位置情報交換システム、ＡＲ位置情報交換方法、ＡＲ位置情報配信プログラムおよびＡＲ位置情報交換プログラムに関し、特に、複数の移動端末間で位置情報を交換する方法に関する。
【０００３】
又、ＡＲ機能を持つ無線通信システムにおいて、利用可能な無線ネットワークの中でローカルにアドレス指定可能な無線ネットワークとグローバルにアドレス指定可能な無線ネットワークとを区別し、ローカルにアドレス指定可能な無線ネットワークとグローバルにアドレス指定可能な無線ネットワークとに基づいて無線インタフェースの用途選択をつけ、無線インタフェースの用途選択に基づいてアプリケーションのための無線インタフェースを選択する技術に関する。
【背景技術】
【０００４】
本発明に関連する技術の一例として、位置情報配信装置の一例が開示されている（特許文献１参照）。以下、その技術を説明する。
【０００５】
本発明に関連するカーナビゲーションシステムやＧＰＳ（Global Positioning System）機能付き携帯電話では、集団で移動中などの場合に、互いの位置情報を交換することができず、自分の端末で自分の現在位置は判るが、他人の現在位置は判らなかった。このため、自分が移動中に自分と他人との位置関係を把握することができず、集団で行動する場合などに集団の行動範囲を管理することができないという問題があった。
【０００６】
又、自分の車両の位置は判るが、他人の車両の位置は判らない。このため、仲間や家族などが複数の車両に分乗し、先頭車両に追従しながらドライブを行う場合、信号待ちなどで後尾車両が先頭車両から離れると、後尾車両はどの経路を進めばよいか判らなくなるという問題があった。
【０００７】
そこで、この関連発明の目的は、複数の移動端末間で位置情報を交換することが可能な位置情報配信装置、移動端末、位置情報交換システム、位置情報交換方法、位置情報配信プログラムおよび位置情報交換プログラムを提供することであった（但し、その目的のみであった）。
【０００８】
一方、本発明に関連する技術の他の一例として、端末のための無線インタフェース選択に関する技術が開示されている（特許文献２参照）。以下、その技術を説明する。
【０００９】
この関連発明における無線通信ネットワークは、セルラー電話やラップトップコンピュータ等のような端末のための通信をサポートするために広く用いられている。これら無線ネットワークは、移動体通信網（無線広域ネットワーク（ＷＷＡＮ））、無線ローカルエリアネットワーク（ＷＬＡＮ：Wireless Local area Network）、及び無線パーソナルエリアネットワーク（ＷＰＡＮ：Wireless Personal Area Network）を含む。異なるタイプの無線ネットワークは、異なるカバレージ及び異なる機能を有する。一般に、要求された通信やデータ接続を提供することができる無線ネットワークから通信やデータ接続をうることが、望ましいと言われていた。
【００１０】
そこで、この関連発明の目的は、利用可能な無線ネットワークの中でローカルにアドレス指定可能な無線ネットワークとグローバルにアドレス指定可能な無線ネットワークとを区別し、ローカルにアドレス指定可能な無線ネットワークとグローバルにアドレス指定可能な無線ネットワークとに基づいて無線インタフェースの優先順位をつけ、無線インタフェースの優先順位に基づいてアプリケーションのための無線インタフェースを選択することであった（但し、その目的のみであった）。
【００１１】
又、本発明に関連する技術の他の一例として、近距離無線通信機能を備える装置を撮影して画面に表示し、撮影された装置との近距離無線通信を接続して、撮影した装置に格納されているデータを画面に表示して装置間のデータ伝送を簡易に行うことが可能な通信端末が開示されている（特許文献３参照）。
【００１２】
さらに、本発明に関連する技術の他の一例として、地理単位のＷＬＡＮデータセットを、モバイル機器の使用のために提供するステップと、モバイル機器によって、少なくとも３つのＷＬＡＮ送信器からＷＬＡＮ信号を受信するステップと、モバイル機器によって、受信したＷＬＡＮ信号に基づいてＷＬＡＮ送信器を自律的に識別するステップとを含むＷＬＡＮ位置検出及び場所に基づくサービス提供の方法が開示されている（特許文献４参照）。
【先行技術文献】
【特許文献】
【００１３】
【特許文献１】特開２００５−３３３２４７号公報
【特許文献２】特表２００９−５４４２６２号公報
【特許文献３】特開２０１１−１６０４０３号公報
【特許文献４】特表２０１１−５０８９９３号公報
【発明の概要】
【発明が解決しようとする課題】
【００１４】
第１の問題点は、特許文献１に記載の発明は、単に位置情報の交換を行なうだけで、それを無線ネットワークの選択には活かしていないという点である。これは、特許文献１に記載の発明が、自分の端末で自分の現在位置は判るが他人の現在位置は判らない、若しくは自分の車両の位置は判るが他人の車両の位置はわからない、といった問題点を解決することだけが目的であり、単に位置情報の交換を行なうだけで、それが解決できるからである。
【００１５】
第２の問題点は、特許文献２に記載の発明は、単に無線ネットワークの状態や、アプリケーションの状態で、無線ネットワークを選択するだけで、それを、さらに積極的に、能動的に用途別に選択することに活かしていないという点である。これは、特許文献２に記載の発明が、異なるタイプの無線ネットワークは、異なるカバレージ及び異なる機能を有し、一般に、要求された通信やデータ接続を提供することができる無線ネットワークから通信やデータ接続をうることが、望ましいと言われていた、といった問題点を解決することだけが目的であり、単に無線ネットワークの状態や、アプリケーションの状態で、無線ネットワークを選択するだけで、それが解決できるからである。
【００１６】
第３の問題点は、特許文献１又は２に記載の発明だけでは、ネットワークを負荷分散することができず、移動体通信網のトラヒック・オフロード、回線費用の安価化を計ることができないということである。
【００１７】
さらに、特許文献３に記載の発明はＡＲの要素技術に関するものであり、特許文献４に記載の発明はＷＬＡＮ位置検出の要素技術に関するものである。したがってこれらの発明によっても、ネットワークの負荷を分散させることができず、かつ、移動体通信網のトラヒック・オフロード及び回線費用の安価化を図ることができない。
【００１８】
そこで、本発明の目的は、単に位置情報の交換を行なうだけでなく、それを無線ネットワークの選択には活かすシステムを提供することにある。
【００１９】
又、本発明の他の目的は、単に無線ネットワークの状態や、アプリケーションの状態で、無線ネットワークを選択するだけでなく、それを、もっと積極的に、能動的に用途別に選択することに活かすシステムを提供することにある。
【００２０】
具体的には、本発明の目的は、移動体通信網（無線広域ネットワーク（ＷＷＡＮ））を用いて位置情報交換を行い、グローバルにアドレス指定可能な無線ネットワークがある場所や、ローカルにアドレス指定可能な無線ネットワークがある場所に、人間を誘導させるためのＡＲ機能を持つ無線通信システムを提供することにある。
【００２１】
又、本発明の他の目的は、上記ＡＲ機能を持つ無線通信システムにおいて、複数の移動端末間で、位置情報を交換することが可能なＡＲ位置情報配信装置、移動端末、ＡＲ位置情報交換システム、ＡＲ位置情報交換方法、ＡＲ位置情報配信プログラムおよびＡＲ位置情報交換プログラムを提供することである。
【００２２】
更に、本発明の他の目的は、ＡＲ機能を持つ無線通信システムにおいて、利用可能な無線ネットワークの中でローカルにアドレス指定可能な無線ネットワークとグローバルにアドレス指定可能な無線ネットワークとを区別し、ローカルにアドレス指定可能な無線ネットワークとグローバルにアドレス指定可能な無線ネットワークとに基づいて無線インタフェースの用途選択をつけ、無線インタフェースの用途選択に基づいてアプリケーションのための無線インタフェースを選択する技術を提供することにある。
【課題を解決するための手段】
【００２３】
前記課題を解決するために、本発明による無線通信システムは、無線ネットワークを用いて位置情報交換を行い、グローバルにアドレス指定可能な無線ネットワークがある場所や、ローカルにアドレス指定可能な無線ネットワークがある場所に、移動局を誘導させるためのＡＲ（Augmented Reality:拡張現実感）機能を含むことを特徴とする。
【００２４】
また、本発明によるＡＲ位置情報配信装置は、無線ネットワークを用いて位置情報交換を行い、グローバルにアドレス指定可能な無線ネットワークがある場所や、ローカルにアドレス指定可能な無線ネットワークがある場所に、移動局を誘導させるためのＡＲ（Augmented Reality:拡張現実感）機能を含む無線通信システムにおけるＡＲ位置情報配信装置であって、複数の移動局の現在の位置情報を受信する受信手段と、前記受信手段にて受信された複数の移動局の位置情報を保持するＡＲ位置情報保持手段と、前記ＡＲ位置情報保持手段に保持される第１の移動局の位置情報を第２の移動局に配信するＡＲ位置情報配信手段とを含むことを特徴とする。
【００２５】
また、本発明による移動局は、無線ネットワークを用いて位置情報交換を行い、グローバルにアドレス指定可能な無線ネットワークがある場所や、ローカルにアドレス指定可能な無線ネットワークがある場所に、移動局を誘導させるためのＡＲ（Augmented Reality:拡張現実感）機能を含む無線通信システムにおける移動局であって、自局の現在の位置情報を送信するＡＲ位置情報送信手段と、他局の位置情報を受信するＡＲ位置情報受信手段と、前記ＡＲ位置情報受信手段にて受信された他局の位置情報を地図上に表示するＡＲ位置情報表示手段とを含むことを特徴とする。
【００２６】
また、本発明によるＡＲ位置情報交換システムは、無線ネットワークを用いて位置情報交換を行い、グローバルにアドレス指定可能な無線ネットワークがある場所や、ローカルにアドレス指定可能な無線ネットワークがある場所に、移動局を誘導させるためのＡＲ（Augmented Reality:拡張現実感）機能を含むＡＲ位置情報交換システムであって、複数の移動局およびＡＲ位置情報配信装置が前記無線ネットワークを介して接続されており、前記移動局は、前記無線ネットワークを介して自局の現在の位置情報を前記ＡＲ位置情報配信装置に送信するＡＲ位置情報送信手段と、前記無線ネットワークを介して他局の位置情報を前記ＡＲ位置情報配信装置から受信するＡＲ位置情報受信手段と、前記ＡＲ位置情報受信手段にて受信された他局の位置情報を地図上に表示するＡＲ位置情報表示手段とを含み、前記ＡＲ位置情報配信装置は、前記無線ネットワークを介して複数の移動局の現在の位置情報を受信する受信手段と、前記受信手段にて受信された複数の移動局の位置情報を保持するＡＲ位置情報保持手段と、前記ＡＲ位置情報保持手段に保持される第１の移動局の位置情報を第２の移動局に配信するＡＲ位置情報配信手段とを含むことを特徴とする。
【００２７】
また、本発明によるＡＲ位置情報交換方法は、ＡＲ位置情報配信装置と、移動局とを含む無線通信システムにおけるＡＲ位置情報交換方法であって、利用可能な無線ネットワークの中で、ローカルにアドレス指定可能な無線ネットワークとグローバルにアドレス指定可能な無線ネットワークとを区別することと、前記ローカルにアドレス指定可能な無線ネットワークと前記グローバルにアドレス指定可能な無線ネットワークに基づいて無線インタフェースの用途選択をつけることと、前記無線インタフェースの用途選択に基づいて、アプリケーションのための無線インタフェースを選択することとを含むことを特徴とする。
【００２８】
また、本発明によるプログラムは、ＡＲ位置情報配信装置と、移動局とを含む無線通信システムにおけるＡＲ位置情報交換方法のプログラムであって、利用可能な無線ネットワークの中で、ローカルにアドレス指定可能な無線ネットワークとグローバルにアドレス指定可能な無線ネットワークとを区別することと、前記ローカルにアドレス指定可能な無線ネットワークと前記グローバルにアドレス指定可能な無線ネットワークに基づいて無線インタフェースの用途選択をつけることと、前記無線インタフェースの用途選択に基づいて、アプリケーションのための無線インタフェースを選択することとをコンピュータに実行させるためのものであることを特徴とする。
【発明の効果】
【００２９】
本発明によれば、単に位置情報の交換を行なうだけでなく、それを無線ネットワークの選択に活かすことができる。又、単に無線ネットワークの状態や、アプリケーションの状態で、無線ネットワークを選択するだけでなく、それを、もっと積極的に、能動的に用途別に選択することに活かすことができる。
【００３０】
又、本発明によれば、複数の移動局の位置情報を通信ネットワーク上で管理することができ、他人の移動局の位置情報を自分の移動局上に取り込むことを可能として、任意のメンバ間の位置関係を移動局上で容易に把握することができる。
【００３１】
又、移動局によってサポートされる無線インタフェースは、ローカルにアドレス指定可能な無線ネットワーク及びグローバルにアドレス指定可能な無線ネットワーク、アプリケーションのために取得された情報、アプリケーションタイプ等に基づいて用途選択をつけることができる。異なるアプリケーションは、無線インタフェースの用途選択づけにおいて考慮されうる異なる無線インタフェース用途選択や無線インタフェース要求を有しうる。無線インタフェースの用途選択に基づいて、そのアプリケーションのために適切な無線インタフェースを選択することができる。
【００３２】
又、本発明によれば、全ての通信を、移動体通信網（無線広域ネットワーク（ＷＷＡＮ）、例えばＣＤＭＡ、ＵＭＴＳ、ＧＳＭ（登録商標）、又はそれ以外の類似の移動体通信網）で行なうのではなく、「自動ダウンロード用」のグローバルにアドレス指定可能なＷＬＡＮインタフェースに負荷分散することができ、移動体通信網のトラヒック・オフロード、回線費用の安価化を図ることができる。
【００３３】
その理由は、ＷＬＡＮネットワークのエリアの穴を、移動体通信網（無線広域ネットワーク（ＷＷＡＮ））とＡＲ位置情報交換機能１１により、ＷＬＡＮネットワーク、ＷＬＡＮネットワークに誘導していくことができ、メインのパケット通信である自動ダウンロードをＷＬＡＮインタフェースで通信することができるからである。
【図面の簡単な説明】
【００３４】
【図１】本発明に係る無線通信システムの動作の一例を示す模式図である。
【図２】本発明の第１実施形態に係るＡＲ位置情報交換システムの概略構成を示すブロック図である。
【図３】移動局１０６ａの概略構成を示すブロック図である。
【図４】ＡＲ位置情報データ交換サーバ１０２の概略構成を示すブロック図である。
【図５】本発明に係る移動局６の無線ネットワーク用途選択機能１２の動作の一例を示す模式図である。
【図６】本発明のＡＲのアプリケーションの一例のイメージ図である。
【図７】「自動ダウンロード」及び「アドホック通信」を使用するアプリケーションとして、メールのアドホック通信を行った場合の移動局６a〜６ｃの動作の一例を示す模式図である。
【図８】図１のＡＲ位置情報交換機能１１において、図２のＡＲ位置情報交換システムの位置情報交換処理の一例を示すフローチャートである。
【図９】図１の移動局６ａの無線ネットワーク用途選択機能１２において、アプリケーションのための無線インタフェースを選択する処理２００の一例を示すフローチャートである。
【図１０】本発明の第２実施形態に係るＡＲ位置情報交換システムの概略構成を示すブロック図である。
【発明を実施するための形態】
【００３５】
以下、本発明の実施の形態について添付図面を参照しながら説明する。まず、本発明の第１実施形態について図１を参照しながら説明する。図１は本発明に係る無線通信システムの動作の一例を示す模式図である。同図を参照すると、移動局６ａは、図示しない移動体通信網（グローバルにアドレス設定可能なＷＷＡＮ）の無線基地局７と通信されており、ＡＲ位置情報交換機能１１、移動体通信網（グローバルにアドレス設定可能なＷＷＡＮ）の電波１により、他の移動局６ａと「位置情報交換」を行なう。
【００３６】
移動局６ａには、グローバルにアドレス設定可能なＷＬＡＮに誘導するためのＡＲ（ＡＲのアプリケーション）２が、図示しない移動局６ａの画面上に表示されており、このＡＲのアプリケーションは、グローバルにアドレス設定可能なＷＬＡＮのアクセスポイント８に近づくように移動局６ａを誘導する。
【００３７】
グローバルにアドレス設定可能なＷＬＡＮのアクセスポイント８に近づいた移動局６ｂ（移動後の移動局６ａを移動局６ｂと表示している）は、グローバルにアドレス設定可能なＷＬＡＮの電波３を使って「自動ダウンロード」を行なう。
【００３８】
移動局６ｂには、ローカルにアドレス設定可能なＷＬＡＮに誘導するためのＡＲ（ＡＲのアプリケーション）４が図示しない移動局６ｂの画面上に画面上に表示されており、このＡＲのアプリケーションは、ローカルにアドレス設定可能なＷＬＡＮの電波５を送受信する２つの移動局６ｃ同士が近づくように誘導する。
【００３９】
ローカルにアドレス設定可能なＷＬＡＮの電波５を送受信する２つの移動局６ｃ同士が近づいた場合、その移動局６ｃ同士は、ローカルにアドレス設定可能なＷＬＡＮの電波５を使って「アドホック通信」を行なう。
【００４０】
上記の動作の説明により、ＷＬＡＮネットワークのエリアの穴を、移動体通信網（無線広域ネットワーク（ＷＷＡＮ））とＡＲ位置情報交換機能１１により、ＷＬＡＮネットワーク、ＷＬＡＮネットワークに誘導していくことができ、メインのパケット通信である自動ダウンロードをＷＬＡＮインタフェースで通信することができる。なお、無線ネットワーク用途選択機能１２については後述する。
【００４１】
図２は本発明の第１実施形態に係るＡＲ位置情報交換システムの概略構成を示すブロック図である。
【００４２】
同図において、総合網１０１には、ＡＲ位置情報データ交換サーバ１０２、無線基地局１０３ａ〜１０３ｃ及びテレビ電話端末１０８が接続されている。そして、移動局１０６ａ、１０６ｂ、１０６ｃは、アンテナ１０７ａ〜１０７ｃをそれぞれ介して無線基地局１０３ａ〜１０３ｃと通信を確立することにより、ＡＲ位置情報データ交換サーバ１０２及びテレビ電話端末１０８にアクセスすることができる。
【００４３】
なお、総合網１０１としては、例えば、ＩＰ(Internet Protocol）網、移動体通信網（無線広域ネットワーク（ＷＷＡＮ））、固定電話網又は専用回線などの通信ネットワークを用いることができる。又、移動局１０６ａ、１０６ｂ、１０６ｃとしては、例えば、携帯電話、ＰＨＳ(Personal Handy-phone System）又はＰＤＡ(Personal Digital Assistance）などの携帯情報端末を用いることができる。
【００４４】
ここで、ＡＲ位置情報データ交換サーバ１０２は、総合網１０１を介して移動局１０６ａ、１０６ｂ、１０６ｃの現在の位置情報を移動局１０６ａ、１０６ｂ、１０６ｃから受信し、それらの移動局１０６ａ、１０６ｂ、１０６ｃの位置情報を保持することができる。そして、ＡＲ位置情報データ交換サーバ１０２は、任意の移動局１０６ａ、１０６ｂ、１０６ｃの位置情報を他の移動局１０６ａ、１０６ｂ、１０６ｃにリアルタイムで送信することができる。
【００４５】
そして、移動局１０６ａ、１０６ｂ、１０６ｃは、他の移動局１０６ａ、１０６ｂ、１０６ｃの位置情報を受信すると、それらの移動局１０６ａ、１０６ｂ、１０６ｃの位置情報を自局の表示画面上で地図に重ねて表示することができる。
【００４６】
これにより、ＡＲ位置情報データ交換サーバ１０２にて複数の移動局１０６ａ、１０６ｂ、１０６ｃの位置情報を管理することができ、集団で移動中などに任意の移動局１０６ａ、１０６ｂ、１０６ｃ間で位置情報をやり取りすることができる。
【００４７】
このため、自分の移動局１０６ａ、１０６ｂ、１０６ｃ上で自分の現在位置と他人の現在位置とを地図上で確認することができ、自分の位置と他人の位置とが刻々と変化する場合においても、自分と他人との位置関係を容易に把握することができる。
【００４８】
例えば、移動局１０６ｃの持ち主が見知らぬ場所で待ち合わせをする場合においても、相手の現在位置を自分の現在位置と対比させながら、自分の移動局１０６ｃの表示画面上に表示させることができ、待ち合わせた相手を容易に見つけ出すことができる。
【００４９】
図３は図２の移動局１０６ａの概略構成を示すブロック図である。同図において、移動局１０６ａは、アンテナ１０７ａと、アンテナ１０７ａを介して移動体通信網１０１ｃに接続を行う無線通信装置１１１と、移動局１０６ａの現在の位置情報を取得する位置情報センサ機能１１２と、位置情報センサ機能１１２により取得された位置情報を記憶する位置情報記憶部１１３と、移動局１０６ａ、１０６ｂ、１０６ｃの現在位置を表示する地図データを記憶する地図データ記憶部１１４と、移動局１０６ａの位置情報を送信するタイミングや移動局１０６ｂ、１０６ｃの位置情報を受信するタイミングなどの一連のステータスの管理を行うステータス管理制御部１１５と、移動局１０６ａ、１０６ｂ、１０６ｃの位置情報を地図上に表示したり、テレビ電話時の相手の状況を表示したりする表示装置１１６と、テレビ電話を行うテレビ電話機能１１７とを含んで構成される。
【００５０】
そして、無線通信装置１１１、位置情報センサ機能１１２、位置情報記憶部１１３、地図データ記憶部１１４、ステータス管理制御部１１５、表示装置１１６及びテレビ電話機能１１７はバス１０Ｂ１に接続されている。
【００５１】
なお、位置情報センサ機能１１２としては、例えば、ＧＰＳを用いることができる。ここで、ＧＰＳを用いた場合、移動局１０６ａ、１０６ｂ、１０６ｃの位置は、経度／緯度／高度で表現することができる。又は、位置情報センサ機能１１２は、移動局１０６ａ、１０６ｂ、１０６ｃと通信が確立した無線基地局１０３ａ〜１０３ｃに固有の基地符号を含むデータに基づいて、移動局１０６ａ、１０６ｂ、１０６ｃの現在の位置を特定するようにしてもよい。
【００５２】
又、位置情報センサ機能１１２及びステータス管理制御部１１５はこれらの機能を実行するプログラムを移動局１０６ａの図示しないコンピュータに実行させることにより実現することができる。
【００５３】
そして、位置情報センサ機能１１２は、移動局１０６ａの位置情報を取得すると、無線通信装置１１１を介して移動局１０６ａの位置情報を図２のＡＲ位置情報データ交換サーバ１０２に送信する。そして、移動局１０６ａのステータス管理制御部１１５は、ＡＲ位置情報データ交換サーバ１０２から移動局１０６ｂ、１０６ｃの位置情報が配信されると、無線通信装置１１１を介して移動局１０６ｂ、１０６ｃの位置情報を受信し、位置情報記憶部１１３に記憶する。
【００５４】
そして、ステータス管理制御部１１５は、移動局１０６ｂ、１０６ｃの位置を含む周辺の地図データを地図データ記憶部１１４から読み出し、表示装置１１６に対して移動局１０６ｂ、１０６ｃの位置情報を地図上に表示させる。
【００５５】
これにより、自分の移動局１０６ａ上で自分の現在位置と他人の現在位置とを地図上で確認することができ、自分が移動中に自分と他人との位置関係を容易に把握することができる。
【００５６】
又、ステータス管理制御部１１５は、利用者からの要求に応じてテレビ電話機能１１７を呼び出し、テレビ電話端末１０８とテレビ電話を行わせることにより、表示装置１１６上に相手の状況を表示させることができる。
【００５７】
なお、図３の例では、移動局１０６ａを例にとって説明したが、移動局１０６ｂ、１０６ｃも同様の構成を持つことができる。
【００５８】
図４は、図２のＡＲ位置情報データ交換サーバ１０２の概略構成を示すブロック図である。同図において、ＡＲ位置情報データ交換サーバ１０２は、ＩＰ網１０１ａに接続するネットワーク接続部１２１と、移動局１０６ａ、１０６ｂ、１０６ｃとアクセスを行うための通信制御を行う通信制御機能１２２と、ＡＲ登録メンバデータベース１２４の管理を行うＡＲメンバデータベース登録保持機能１２３と、移動局１０６ａ、１０６ｂ、１０６ｃの位置情報の交換サービスを受ける利用者を登録するＡＲ登録メンバデータベース１２４と、ＡＲ位置情報データベース１２６の管理や検索を行うＡＲ位置情報データベース登録保持検索機能１２５と、移動局１０６ａ、１０６ｂ、１０６ｃの位置情報を格納するＡＲ位置情報データベース１２６と、地図データを格納する地図データ格納部１２７と、移動局１０６ａ、１０６ｂ、１０６ｃの現在位置の周辺の地図データの検索を行う地図データ検索部１２８と、ＡＲ位置情報データベース１２６に格納されている移動局１０６ａ、１０６ｂ、１０６ｃの位置情報を読み出して移動局１０６ａ、１０６ｂ、１０６ｃに配信するための一連のステータスの管理を行うステータス管理制御部１２９と、移動局１０６ａ、１０６ｂ、１０６ｃの位置情報の交換サービスを受ける利用者の認証および課金を行う認証／課金処理部１３０とを含んで構成される。
【００５９】
なお、通信制御機能１２２は、移動局１０６ａ、１０６ｂ、１０６ｃの間で位置情報の交換が行われる場合、個別通信、グループへの情報配信又は一斉同報通信の制御を行うことができる。
【００６０】
又、通信制御機能１２２、ＡＲメンバデータベース登録保持機能１２３、ＡＲ位置情報データベース登録保持検索機能１２５、地図データ検索部１２８、ステータス管理制御部１２９および認証／課金処理部１３０は、これらの機能を実行するプログラムをＡＲ位置情報データ交換サーバ１０２内の図示しないコンピュータに実行させることにより実現することができる。
【００６１】
そして、ネットワーク接続部１２１、通信制御機能１２２、ＡＲメンバデータベース登録保持機能１２３、ＡＲ登録メンバデータベース１２４、ＡＲ位置情報データベース登録保持検索機能１２５、ＡＲ位置情報データベース１２６、地図データ格納部１２７、地図データ検索部１２８、ステータス管理制御部１２９および認証／課金処理部１３０はバス１０Ｂ２に接続されている。
【００６２】
そして、通信制御機能１２２は、移動局１０６ａ、１０６ｂ、１０６ｃと通信を行う場合、ネットワーク接続部１２１を介してＩＰ網１０１ａに接続する。そして、ＡＲメンバデータベース登録保持機能１２３は、移動局１０６ａ、１０６ｂ、１０６ｃの位置情報の交換サービスを受ける利用者が移動局１０６ａ、１０６ｂ、１０６ｃから指定されると、移動局１０６ａ、１０６ｂ、１０６ｃの位置情報の交換サービスを受ける利用者をＡＲ登録メンバデータベース１２４に登録する。
【００６３】
そして、ＡＲ位置情報データベース登録保持検索機能１２５は、移動局１０６ａ、１０６ｂ、１０６ｃの位置情報が移動局１０６ａ、１０６ｂ、１０６ｃから送信されると、移動局１０６ａ、１０６ｂ、１０６ｃの位置情報をＡＲ位置情報データベース１２６に格納する。
【００６４】
そして、移動局１０６ａ、１０６ｂ、１０６ｃの位置情報の配信要求があると、認証／課金処理部１３０は、その利用者がＡＲ登録メンバデータベース１２４に登録されているかどうかを確認するとともに、その利用者に対する課金処理を行う。
【００６５】
そして、ステータス管理制御部１１５は、認証／課金処理部１３０による認証が得られると、要求された移動局１０６ａ、１０６ｂ、１０６ｃの位置情報を配信先の移動局１０６ａ、１０６ｂ、１０６ｃに配信する。
【００６６】
これにより、ＡＲ位置情報データ交換サーバ１０２にて複数の移動局１０６ａ、１０６ｂ、１０６ｃの位置情報を管理することができ、移動局１０６ａ、１０６ｂ、１０６ｃはＡＲ位置情報データ交換サーバ１０２を介して他の移動局１０６ａ、１０６ｂ、１０６ｃの位置情報を取得することができる。
【００６７】
このため、自分の移動局１０６ａ、１０６ｂ、１０６ｃ上で自分の現在位置と対比させながら他人の現在位置を地図上で確認することができ、自分の位置と他人の位置とが刻々と変化する場合においても、自分と他人との位置関係を容易に把握することができる。
【００６８】
ここで、ＡＲ位置情報データ交換サーバ１０２は、移動局１０６ａ、１０６ｂ、１０６ｃの位置情報を配信する場合、地図データ検索部１２８にて移動局１０６ａ、１０６ｂ、１０６ｃの位置を含む周辺の地図データを地図データ格納部１２７から検索し、移動局１０６ａ、１０６ｂ、１０６ｃの位置を含む周辺の地図データを移動局１０６ａ、１０６ｂ、１０６ｃの位置情報とともに配信するようにしてもよい。
【００６９】
これにより、移動局１０６ａ、１０６ｂ、１０６ｃは全国の地図データのうちの必要な部分を必要な時に取得することが可能となり、移動局１０６ａ、１０６ｂ、１０６ｃの位置情報を地図上に表示させるために、自分の移動局１０６ａ、１０６ｂ、１０６ｃ上に膨大な全国の地図データを常に保持する必要がなくなる。このため、移動局１０６ａ、１０６ｂ、１０６ｃの携帯性を損なうことなく、自分の現在位置と対比させながら他人の現在位置を地図上で確認することができる。
【００７０】
なお、移動局１０６ａ、１０６ｂ、１０６ｃの位置情報を他の移動局１０６ａ、１０６ｂ、１０６ｃに配信する直前に、移動局１０６ａ、１０６ｂ、１０６ｃの位置情報を移動局１０６ａ、１０６ｂ、１０６ｃから受信するようにしてもよい。
【００７１】
これにより、移動局１０６ａ、１０６ｂ、１０６ｃの位置情報を他の移動局１０６ａ、１０６ｂ、１０６ｃに配信する際に、移動局１０６ａ、１０６ｂ、１０６ｃの最新の位置情報を取得することが可能となり、移動局１０６ａ、１０６ｂ、１０６ｃの位置が刻々と変化する場合においても、移動局１０６ａ、１０６ｂ、１０６ｃの現在の位置をリアルタイムで確認することができる。
【００７２】
又、移動局１０６ａ、１０６ｂ、１０６ｃの位置情報を配信する場合、移動局１０６ａ、１０６ｂ、１０６ｃからの要求に基づいて配信するようにしてもよいし、予め設定された時間に配信するようにしてもよい。あるいは、移動局１０６ａ、１０６ｂ、１０６ｃの位置が更新されるごとに移動局１０６ａ、１０６ｂ、１０６ｃの位置情報を配信するようにしてもよい。
【００７３】
次に、図５について説明する。図５は本発明に係る移動局６の無線ネットワーク用途選択機能１２の動作の一例を示す模式図である。なお、同図では移動局６を便宜上端末２５０と表示する。
【００７４】
端末２５０は、ローカルにアドレス指定可能な無線ネットワーク２２０と、グローバルにアドレス指定可能な無線ネットワーク２１０、２３０に対して、アプリケーションのために取得された情報、アプリケーションタイプ等に基づいて、アプリケーションのための無線インタフェースに用途選択をつけることができる。
【００７５】
アプリケーションタイプは、無線インタフェース用途選択、データ要求等を示しうる、あるいはそれらに関連しうる。端末２５０はその後、無線インタフェースの用途選択に基づいて、アプリケーションのために適切な無線インタフェースを選択することができる。
【００７６】
１つの設計において、端末２５０は、グローバルにアドレス指定可能なＷＬＡＮ２３２（例えば、インフラストラクチャネットワーク２３０）に接続される場合にＷＬＡＮインタフェースの用途選択を「自動ダウンロード用」に設定し、ローカルにアドレス指定可能なＷＬＡＮ２２２（例えばアドホックネットワーク２２０）に接続される場合にＷＬＡＮインタフェースの用途選択を「アドホック通信用」に設定する。
【００７７】
ＷＬＡＮインタフェースの用途選択が「自動ダウンロード用」に設定されている場合、アプリケーションは他の無線インタフェースを用いる理由がないのであれば、ＷＬＡＮインタフェースに結合し、グローバルにアドレス指定可能なＷＬＡＮ２３２に接続されることができる。
【００７８】
ＷＬＡＮインタフェースの用途選択が「アドホック通信用」に設定された場合、ローカルにアドレス指定可能なＷＬＡＮ２２２において動作することができるアプリケーションはこの情報を提供しその後ローカルにアドレス指定可能なＷＬＡＮ２２２に接続されることができる。
【００７９】
インターネット２６０に接続された遠隔ノード２６２とデータを交換することができるその他のアプリケーションの場合、又は予め設定した間欠時間において、もし利用可能であれば別の「位置情報交換用」の移動体通信網（グローバルにアドレス設定可能なＷＷＡＮ）インタフェース２１２（例えばＣＤＭＡ（Code Division Multiple Access)、ＵＭＴＳ(Universal Mobile Telecommunications System)、ＧＳＭ（登録商標）(Global System for Mobile communication)、又はそれ以外の類似の移動体通信網２１０）がこれらアプリケーションのために選択されることができる。
【００８０】
無線インタフェースは、アプリケーションが最初に起動された時にアプリケーションのために選択することができる。アプリケーションは、何れの無線インタフェースが端末２５０によってサポートされるか、及び何れの無線ネットワークが利用可能であるかを認識できない。アプリケーションは単に無線ネットワークとの接続を要求することができるのみである。
【００８１】
ＷＬＡＮインタフェースの用途選択を「アドホック通信用」に設定することによって、端末２５０がローカルにアドレス指定可能なＷＬＡＮ２２２（例えばアドホックネットワーク２２０）に接続される場合、移動体通信網（グローバルにアドレス指定可能なＷＷＡＮ）インタフェース２１２（例えばＣＤＭＡ、ＵＭＴＳ、ＧＳＭ（登録商標）、又はそれ以外の類似の移動体通信網２１０）を、アプリケーションのために選択することができる。これによってその後、アプリケーションがローカルにアドレス指定可能なＷＬＡＮ２２２に結合し、ローカルにアドレス指定可能なＷＬＡＮ外へパケットを送ろうと試み、データ破損に遭遇するシナリオを回避することができる。
【００８２】
上記の設計は、ローカルにアドレス指定可能なＷＬＡＮ２２２において動作することができるアプリケーションが、起動された場合これらの情報を提供するであろうことを仮定している。これらのアプリケーションはその後、ＷＬＡＮインタフェースの用途選択が「アドホック用」に設定された場合、ローカルにアドレス指定可能なＷＬＡＮ２２２に接続されることができる。アプリケーションがローカルにアドレス指定可能なＷＬＡＮ２２２において動作可能であることを示す情報は、様々な形式で与えられることができる。
【００８３】
例えば情報は、もし利用可能であれば、任意のＷＬＡＮを用いさせる明確なコマンド、もし利用可能であれば、ローカルにアドレス指定可能なＷＬＡＮを用いさせる明確なコマンド等の形式であることができる。この情報は又、アプリケーションのためのリンクローカルＩＰアドレスの使用を許容できることを示すこともできる。
【００８４】
別の設計において、ローカルにアドレス指定可能なＷＬＡＮ２２２において動作することができないアプリケーションは、起動された場合この情報を提供することができる。これらのアプリケーションはその後、ＷＬＡＮインタフェース用途選択が「自動ダウンロード用」に設定された場合、別の無線インタフェースを用いてグローバルにアドレス指定可能な無線ネットワーク２１０に接続されることができる。
【００８５】
又別の設計において、各アプリケーションは、そのアプリケーションがローカルにアドレス指定可能なＷＬＡＮ２２２において動作することができるか否かを示す情報（例えばビット）に関連付けることができる。一般に、ローカルにアドレス指定可能なＷＬＡＮ２２２において動作することができるアプリケーションとローカルにアドレス指定可能なＷＬＡＮ２２２において動作することができないアプリケーションとは、例えばアプリケーションによって提供される情報、アプリケーションに関連付けられた情報等に基づいて様々な方法で区別することができる。
【００８６】
端末２５０は、様々な方式で、アドホックネットワークに接続していることを判定することができる。端末２５０は、アドホックネットワークを生成することができ、その後アドホックネットワークに接続していることを知るであろう。端末２５０は又、アドホックネットワークに参加し、アドホックネットワーク内の他の局によって送信されたビーコンを受信することもできる。
【００８７】
ビーコンは、ＩＢＳＳ(Independent Basic Service Set)サブフィールドを含む機能情報フィールドを含む。ＩＢＳＳサブフィールドは、ＩＢＳＳ内でビーコンを送信する局によって「１」に設定される。従って端末２５０は、受信したビーコン内のＩＢＳＳサブフィールドのコンテンツに基づいて、アドホックネットワークに接続しているかを判定することができる。端末２５０は又、他の無線インタフェースに関して他の方式で、ローカルにアドレス指定可能な無線ネットワーク２２２を識別することもできる。
【００８８】
次に、本発明のＡＲアプリケーションの動作の一例について説明する。図６は本発明のＡＲのアプリケーションの一例のイメージ図である。同図（Ａ）を参照すると、画面例２１は、周りの風景を移動局（以下、一例として携帯電話等）のカメラで撮ってＡＲを図示しない携帯電話等の表示装置に表示する場合の画面例である。
【００８９】
画面例２１上に、例えば、ホットスポットが存在するという表示２２を行なうことにより、図１のグローバルにアドレス設定可能なＷＬＡＮのアクセスポイント８に近づくように誘導することができる。その後、グローバルにアドレス設定可能なＷＬＡＮのアクセスポイント８に近づいた移動局６ｂは、グローバルにアドレス設定可能なＷＬＡＮの電波３を使って「自動ダウンロード」を行なう。
【００９０】
又、画面例２１上に、例えば、友達が存在するという表示２３を行なうことにより、ローカルにアドレス設定可能なＷＬＡＮの電波５を送受信する２つの移動局６ｃ同士が近づくように誘導することができる。その後、ローカルにアドレス設定可能なＷＬＡＮの電波５を送受信する２つの移動局６ｃ同士が近づいた場合、その移動局６ｃ同士は、ローカルにアドレス設定可能なＷＬＡＮの電波５を使って「アドホック通信」を行なう。
【００９１】
同図（Ｂ）を参照すると、画面例２４は、携帯電話等のアプリケーションでゲーム等を行なっている場合の画面例である。画面例２４上に、例えば、宝探しゲームの宝が存在するという表示２５を行なうことにより、図１のグローバルにアドレス設定可能なＷＬＡＮのアクセスポイント８に近づくように誘導することができる。その後、グローバルにアドレス設定可能なＷＬＡＮのアクセスポイント８に近づいた移動局６ｂは、グローバルにアドレス設定可能なＷＬＡＮの電波３を使って「自動ダウンロード」を行なう。
【００９２】
又、画面例２４上に、例えば、敵が存在するという表示２６を行なうことにより、ローカルにアドレス設定可能なＷＬＡＮの電波５を送受信する２つの移動局６ｃ同士が近づくように誘導することができる。その後、ローカルにアドレス設定可能なＷＬＡＮの電波５を送受信する２つの移動局６ｃ同士が近づいた場合、その移動局６ｃ同士は、ローカルにアドレス設定可能なＷＬＡＮの電波５を使って「アドホック通信」を行なう。
【００９３】
上記の動作の説明により、ＷＬＡＮネットワークのエリアの穴を、移動体通信網（無線広域ネットワーク（ＷＷＡＮ））と移動局６ａ等のＡＲ位置情報交換機能１１により、ＷＬＡＮネットワーク、ＷＬＡＮネットワークに誘導していくことができ、メインのパケット通信である自動ダウンロードをＷＬＡＮインタフェースで通信することができる。
【００９４】
図７は「自動ダウンロード」及び「アドホック通信」を使用するアプリケーションとして、メールのアドホック通信を行った場合の移動局６a〜６ｃの動作の一例を示す模式図である。
【００９５】
同図において、グローバルにアドレス設定可能なＷＬＡＮのアクセスポイント８に近づいた移動局６ｂは、グローバルにアドレス設定可能なＷＬＡＮの電波３を使って「自動ダウンロード」を行い、ユーザＡのメール１：３１、ユーザＡのメール２：３２、ユーザＢのメール１：３３、ユーザＸのメールＮ（Ｎは正の整数）：３４を受信する。
【００９６】
その後、ローカルにアドレス設定可能なＷＬＡＮの電波５を送受信する２つの移動局６ｃ同士が近づいた場合、その移動局６ｃ同士は、ローカルにアドレス設定可能なＷＬＡＮの電波５を使って「アドホック通信」を行い、最初のユーザＡは、ユーザＡのメール１：３１、ユーザＡのメール２：３２は移動局の内部に保存し、それを除いたユーザＢのメール１：３３、ユーザＸのメールＮ：３４のみを次のユーザに渡す。これらの動作の繰り返しにより、メール等のノンリアルタイムのアドホック通信が可能となる。
【００９７】
図８は、図１のＡＲ位置情報交換機能１１において、図２のＡＲ位置情報交換システムの位置情報交換処理の一例を示すフローチャートである。同図を参照すると、移動局１０６ａは、利用者のメンバ登録をＡＲ位置情報データ交換サーバ１０２に要求すると（ステップＳ１０１）、ＡＲ位置情報データ交換サーバ１０２のＡＲメンバデータベース登録保持機能１２３は、移動局１０６ａの位置情報の交換サービスを受ける利用者をＡＲ登録メンバデータベース１２４に登録する（ステップＳ１１１）。
【００９８】
そして、移動局１０６ａの位置情報センサ機能１１２は、移動局１０６ａの位置情報を取得すると、無線通信装置１１１を介して移動局１０６ａの位置情報をＡＲ位置情報データ交換サーバ１０２に送信する（ステップＳ１０２）。
【００９９】
そして、ＡＲ位置情報データ交換サーバ１０２は移動局１０６ａの位置情報を受信すると、同サーバ１０２内のＡＲ位置情報データベース登録保持検索機能１２５は、移動局１０６ａの位置情報をＡＲ位置情報データベース１２６に格納する（ステップＳ１１２）。
【０１００】
そして、移動局１０６ａは、移動局１０６ｂの位置情報の配信要求をＡＲ位置情報データ交換サーバ１０２に行うと（ステップＳ１０３）、同サーバ１０２内の認証／課金処理部１３０は、移動局１０６ａからの配信要求を認証するかどうかを判断する（ステップＳ１１３）。
【０１０１】
そして、移動局１０６ａからの配信要求を認証しない場合、ＡＲ位置情報データ交換サーバ１０２は、移動局１０６ａからの配信要求を拒否し（ステップＳ１１４）、移動局１０６ａは配信要求を拒否するという通知を受信する（ステップＳ１０４）。
【０１０２】
一方、認証／課金処理部１３０は、移動局１０６ａからの配信要求を認証する場合、同サーバ１０２内のＡＲ位置情報データベース登録保持検索機能１２５はＡＲ位置情報データベース１２６を検索し、移動局１０６ｂの位置情報がＡＲ位置情報データベース１２６に登録されているかどうかを調べる（ステップＳ１１５）。
【０１０３】
そして、移動局１０６ｂの位置情報がＡＲ位置情報データベース１２６に登録されていない場合（ステップＳ１１６）、ＡＲ位置情報データ交換サーバ１０２は、移動局１０６ｂの位置情報がないという通知を移動局１０６ａに行うことにより、移動局１０６ａは、移動局１０６ｂの位置情報がないという通知を受信する（ステップＳ１０５）。
【０１０４】
一方、移動局１０６ｂの位置情報がＡＲ位置情報データベース１２６に登録されている場合（ステップＳ１１６）、ＡＲ位置情報データ交換サーバ１０２は移動局１０６ｂの位置情報を配信先の移動局１０６ａに配信する（ステップＳ１１７）。
【０１０５】
そして、移動局１０６ａのステータス管理制御部１１５は、ＡＲ位置情報データ交換サーバ１０２から移動局１０６ｂの位置情報が配信されると、無線通信装置１１１を介して移動局１０６ｂの位置情報を受信し、位置情報記憶部１１３に記憶する。
【０１０６】
そして、ステータス管理制御部１１５は、移動局１０６ｂの位置を含む周辺の地図データを地図データ記憶部１１４から読み出し、表示装置１１６に対して移動局１０６ｂの位置情報を地図上に表示させる（ステップＳ１０６）。
【０１０７】
又、移動局１０６ａの利用者がＡＲ登録メンバデータベース１２４の登録内容の更新要求をＡＲ位置情報データ交換サーバ１０２に行うと（ステップＳ１０７）、ＡＲメンバデータベース登録保持機能１２３は、ＡＲ登録メンバデータベース１２４の登録内容を更新する（ステップＳ１１８）。
【０１０８】
図９は、図１の移動局６ａの無線ネットワーク用途選択機能１２において、アプリケーションのための無線インタフェースを選択する処理２００の一例を示すフローチャートである。
【０１０９】
同図を参照すると、移動局６ａの無線ネットワーク用途選択機能１２はアプリケーションからの接続要求を受信する（ステップS２０２）。ローカルにアドレス指定可能な無線ネットワークとグローバルにアドレス指定可能な無線ネットワークとが、利用可能な無線ネットワークの中で区別する（ステップS２０４）。
【０１１０】
ローカルにアドレス指定可能なＷＬＡＮとグローバルにアドレス指定可能なＷＬＡＮとが、これらＷＬＡＮ内の局又はアクセスポイントからの受信したビーコンに基づいて区別される。
【０１１１】
無線インタフェースは、ローカルにアドレス指定可能な無線ネットワーク及びグローバルにアドレス指定可能な無線ネットワーク、アプリケーションのための取得された情報、アプリケーションタイプ等に基づいて用途選択をつける（ステップS２０６）。アプリケーションタイプは、ある無線インタフェース用途選択又は無線インタフェース要求に関連しうる（ステップS２０８）。
【０１１２】
１つの設計において、ローカルにアドレス指定可能なＷＬＡＮ（例えばＩＥＥＥ  ８０２．１１内のアドホックネットワーク）が利用可能である場合、ＷＬＡＮインタフェースが優先され（例えばローカルにアドレス指定可能なＷＬＡＮであっても）ＷＬＡＮがそのアプリケーションについて受け入れられることを示す情報に基づいて、「アドホック通信用」のＷＬＡＮインタフェースがアプリケーションのために選択されうる。
【０１１３】
グローバルにアドレス指定可能なＷＬＡＮ（例えばＩＥＥＥ  ８０２．１１内のインフラストラクチャネットワーク）が利用可能である場合、ＷＬＡＮインタフェースの用途選択は「自動ダウンロード用」に設定され、ＷＬＡＮインタフェースの「自動ダウンロード用」の用途選択によって、（例えば、ＷＬＡＮの優先を示す情報がなくても）そのアプリケーションのためにＷＬＡＮインタフェースが選択されうる。
【０１１４】
グローバルにアドレス指定可能なＷＬＡＮが利用可能でない場合、ＷＬＡＮインタフェースの用途選択は「位置情報交換用」に設定され、ＷＬＡＮインタフェースの用途選択が「位置情報交換用」であるために、移動体通信網（無線広域ネットワーク（ＷＷＡＮ））インタフェース（例えばＣＤＭＡ、ＵＭＴＳ、ＧＳＭ（登録商標）、又はそれ以外の類似の移動体通信網）がアプリケーションのために選択されうる。
【０１１５】
本発明の図１のＡＲ位置情報交換機能１１の第２実施形態として、その基本的構成は上記の通りであるが、ネットワーク構成についてさらに工夫している。その構成を図１０に示す。図１０は本発明の第２実施形態に係るＡＲ位置情報交換システムの概略構成を示すブロック図である。
【０１１６】
図１０において、ＩＰ網１０１ａには、ＡＲ位置情報データ交換サーバ１０２ａおよびテレビ電話端末１４８が接続され、固定電話通信網１０１ｂには、ＡＲ位置情報データ交換サーバ１０２ｂが接続されている。又、移動体通信網１０１ｃには、ＡＲ位置情報データ交換サーバ１０２ｃ、無線基地局１４３ａ〜１４３ｃが接続されている。
【０１１７】
そして、移動局１４６ａ、１４６ｂ、１４６ｃは、アンテナ１４７ａ〜１４７ｃをそれぞれ介して無線基地局１４３ａ〜１４３ｃと通信を確立することにより、ＡＲ位置情報データ交換サーバ１０２ａ〜１０２ｃおよびテレビ電話端末１４８にアクセスすることができる。
【０１１８】
なお、移動体通信網１０１ｃとしては、例えば、例えばＣＤＭＡ、ＵＭＴＳ、ＧＳＭ（登録商標）、又はそれ以外の類似の移動体通信網などを用いることができる。ここで、ＡＲ位置情報データ交換サーバ１０２ａ〜１０２ｃは、ＩＰ網１０１ａ、固定電話通信網１０１ｂおよび移動体通信網１０１ｃをそれぞれ介して移動局１４６ａ、１４６ｂ、１４６ｃの現在の位置情報を移動局１４６ａ、１４６ｂ、１４６ｃから受信し、それらの移動局１４６ａ、１４６ｂ、１４６ｃの位置情報を保持することができる。
【０１１９】
そして、ＡＲ位置情報データ交換サーバ１０２ａ〜１０２ｃは、任意の移動局１４６ａ、１４６ｂ、１４６ｃの位置情報を他の移動局１４６ａ、１４６ｂ、１４６ｃにリアルタイムで送信することができる。
【０１２０】
そして、移動局１４６ａ、１４６ｂ、１４６ｃは、他の移動局１４６ａ、１４６ｂ、１４６ｃの位置情報を受信すると、それらの移動局１４６ａ、１４６ｂ、１４６ｃの位置情報を自局の表示画面上で地図に重ねて表示することができる。
【０１２１】
本明細書で説明した技術は、様々な手段によって実現することができる。例えばこれらの技術は、ハードウェア、ファームウェア、ソフトウェア、又はこれらの組み合わせによって実現することができる。
【０１２２】
ハードウェアによる実現の場合、無線インタフェース選択を実行するために用いられる処理ユニットは、１つ又は複数の特定用途向け集積回路（ＡＳＩＣ）、デジタル信号プロセッサ（ＤＳＰ）、デジタル信号処理デバイス（ＤＳＰＤ）、プログラマブル論理デバイス（ＰＬＤ）、フィールド・プログラマブル・ゲート・アレイ（ＦＰＧＡ）、プロセッサ、コントローラ、マイクロコントローラ、マイクロプロセッサ、電子デバイス、本明細書に示す機能を実行するように設計されたその他の電子ユニット、コンピュータ、又はこれらの組み合わせによって実現することができる。
【０１２３】
ファームウェア及び／又はソフトウェアによる実現の場合、この技術は、本明細書に示す機能を実行するモジュール（例えば手順、関数等）によって実現することができる。ファームウェア命令及び／又はソフトウェア命令はメモリ内に格納され、プロセッサによって実行される。メモリは、プロセッサ内に実現されるか、プロセッサに外付けで実装されうる。
【０１２４】
ファームウェア命令及び／又はソフトウェア命令は、例えばランダムアクセスメモリ（ＲＡＭ）、読取専用メモリ（ＲＯＭ）、不揮発性ランダムアクセスメモリ（ＮＶＲＡＭ）、プログラマブル読取専用メモリ（ＰＲＯＭ）、電気的消去可能ＰＲＯＭ（ＥＥＰＲＯＭ）、フラッシュメモリ、コンパクトディスク（ＣＤ）、磁気データ記憶デバイスや光データ記憶デバイス等に格納されることもできる。
【０１２５】
本明細書で説明する技術を実現する装置は、独立型ユニット、又はデバイスの一部であることができる。デバイスは、（ｉ）独立型集積回路（ＩＣ）、（ｉｉ）データ及び／又は命令を格納するメモリＩＣを含むことができる１つ又は複数のＩＣのセット、（ｉｉｉ）例えばモバイル局モデム（ＭＳＭ）のようなＡＳＩＣ、（ｉｖ）他のデバイス内に組み込まれることができるモジュール、（ｖ）セルラー電話、無線デバイス、ハンドセット、又はモバイルユニット、（ｖｉ）その他、であることができる。
【０１２６】
本開示における上記記載は、当業者をして、本開示の製造及び利用を可能とするために提供される。本開示への様々な変形例も又、当業者には容易に明らかであり、本明細書で定義された一般原理は、本開示の精神又は範囲から逸脱することなくその他の変形例にも適用可能である。従って、本開示は、本明細書で説明された例に限定することは意図されておらず、本明細書に開示された原理及び新規特徴と整合が取れた最も広い範囲と一致するように意図されている。
【０１２７】
上記の実施形態の一部又は全部は、以下の付記のようにも記載されうるが、以下には限られない。
【０１２８】
（付記１）  無線ネットワークを用いて位置情報交換を行い、グローバルにアドレス指定可能な無線ネットワークがある場所や、ローカルにアドレス指定可能な無線ネットワークがある場所に、移動局を誘導させるためのＡＲ（Augmented Reality:拡張現実感）機能を含む無線通信システムにおける移動局であって、自局の現在の位置情報を送信するＡＲ位置情報送信手段と、他局の位置情報を受信するＡＲ位置情報受信手段と、前記ＡＲ位置情報受信手段にて受信された他局の位置情報を地図上に表示するＡＲ位置情報表示手段とを含み、前記ＡＲ位置情報受信手段にて受信された他局の位置を含む周辺の地図データを受信する地図データ受信手段をさらに含むことを特徴とする移動局。
【０１２９】
付記１記載の移動局によれば、移動局の位置情報を地図上に表示させるために、自分の移動端末上に膨大な全国の地図データを常に保持する必要がなくなり、移動端末の携帯性を損なうことなく、自分の現在位置と他人の現在位置とを地図上で確認することができる。
【０１３０】
（付記２）  無線ネットワークを用いて位置情報交換を行い、グローバルにアドレス指定可能な無線ネットワークがある場所や、ローカルにアドレス指定可能な無線ネットワークがある場所に、移動局を誘導させるためのＡＲ（Augmented Reality:拡張現実感）機能を含むＡＲ位置情報交換システムであって、複数の移動局およびＡＲ位置情報配信装置が前記無線ネットワークを介して接続されており、前記移動局は、前記無線ネットワークを介して自局の現在の位置情報を前記ＡＲ位置情報配信装置に送信するＡＲ位置情報送信手段と、前記無線ネットワークを介して他局の位置情報を前記ＡＲ位置情報配信装置から受信するＡＲ位置情報受信手段と、前記ＡＲ位置情報受信手段にて受信された他局の位置情報を地図上に表示するＡＲ位置情報表示手段とを含み、前記ＡＲ位置情報配信装置は、前記無線ネットワークを介して複数の移動局の現在の位置情報を受信する受信手段と、前記受信手段にて受信された複数の移動局の位置情報を保持するＡＲ位置情報保持手段と、前記ＡＲ位置情報保持手段に保持される第１の移動局の位置情報を第２の移動局に配信するＡＲ位置情報配信手段とを含み、前記無線ネットワークは、ＩＰ網、移動体通信網（無線広域ネットワーク（ＷＷＡＮ））、固定電話網又は専用回線の少なくともいずれか１つを含むことを特徴とするＡＲ位置情報交換システム。
【０１３１】
付記２記載のＡＲ位置情報交換システムによれば、様々のエリア内において自分の位置情報と他人の位置情報とを効率よく交換することができ、自分の現在位置と他人の現在位置とを任意の場所で確認することができる。
【０１３２】
（付記３）  前記移動体通信網（無線広域ネットワーク（ＷＷＡＮ））は、セル方式の携帯電話網、ＰＨＳを中継した移動体通信網、業務用移動体通信網、通信衛星を中継した移動体通信網、無線ＬＡＮを中継した移動体通信網又は無線アドホックネットワークを中継した移動体通信網の少なくともいずれか１つを含むことを特徴とする付記２記載のＡＲ位置情報交換システム。
【０１３３】
付記３記載のＡＲ位置情報交換システムによれば、様々の機種に対応することを可能としつつ、様々のエリア内において自分の位置情報と他人の位置情報とを交換することができ、自分の現在位置と他人の現在位置とを任意の場所で確認することができる。
【０１３４】
（付記４）  前記移動局は、自局の現在の位置情報を取得するＡＲ位置情報取得手段をさらに備えることを特徴とする付記２又は３記載のＡＲ位置情報交換システム。
【０１３５】
付記４記載のＡＲ位置情報交換システムによれば、自分の移動局上で自分の位置情報を取得することができ、自分の移動局の位置情報を他人の移動局の位置情報と交換することが可能となる。
【０１３６】
（付記５）  前記ＡＲ位置情報取得手段はＧＰＳであることを特徴とする付記４記載のＡＲ位置情報交換システム。
【０１３７】
付記５記載のＡＲ位置情報交換システムによれば、衛星から送信された電波を受信することで、自分の位置情報を計測することができ、自分の移動局上で自分の位置情報を容易に取得することが可能となる。
【０１３８】
（付記６）  前記通信ネットワークは、前記移動局を特定する識別情報を前記移動局から読み取ることにより、前記移動局の現在の位置を検出するＡＲ位置情報検出手段を備えることを特徴とする付記２から４のいずれか１記載のＡＲ位置情報交換システム。
【０１３９】
付記６記載のＡＲ位置情報交換システムによれば、通信ネットワーク側に移動局の位置情報を計測させることができ、移動局側にかかる負荷を軽減することを可能としつつ、移動局の現在位置を把握することが可能となる。
【０１４０】
（付記７）  前記ＡＲ位置情報検出手段は、前記移動局と通信が確立した無線基地局に固有の基地符号を含むデータに基づいて前記移動局の現在の位置を検出することを特徴とする付記６記載のＡＲ位置情報交換システム。
【０１４１】
付記７記載のＡＲ位置情報交換システムによれば、移動局との通信を確立させることにより、移動局の位置情報を計測することができ、移動局の現在位置を容易に把握することが可能となる。
【０１４２】
（付記８）  前記移動局は、自局の移動局を特定する識別情報を前記ＡＲ位置情報検出手段に自立的に送信する識別情報送信手段を備えることを特徴とする付記６記載のＡＲ位置情報交換システム。
【０１４３】
付記８記載のＡＲ位置情報交換システムによれば、移動局を特定する識別情報を読み取ることで、その移動局の位置を通信ネットワーク側で特定することができ、移動局側にかかる負荷を軽減することを可能としつつ、移動局の現在位置を把握することが可能となる。
【０１４４】
（付記９）  前記移動局は、前記通信ネットワークを介してテレビ電話を行うテレビ電話をさらに備えることを特徴とする付記２から８のいずれか１記載のＡＲ位置情報交換システム。
【０１４５】
付記９記載のＡＲ位置情報交換システムによれば、テレビ電話を行う際に、位置情報を地図上に表示するＡＲ位置情報表示手段を用いることが可能となり、テレビ電話を行うための表示画面を移動端末上に別途設けることなく、テレビ電話を行うことが可能となる。
【０１４６】
（付記１０）  無線ネットワークを用いて位置情報交換を行い、グローバルにアドレス指定可能な無線ネットワークがある場所や、ローカルにアドレス指定可能な無線ネットワークがある場所に、移動局を誘導させるためのＡＲ（Augmented Reality:拡張現実感）機能を含む無線通信システムにおけるＡＲ位置情報配信装置であって、複数の移動局の現在の位置情報を受信する受信手段と、前記受信手段にて受信された複数の移動局の位置情報を保持するＡＲ位置情報保持手段と、前記ＡＲ位置情報保持手段に保持される第１の移動局の位置情報を第２の移動局に配信するＡＲ位置情報配信手段とを含み、さらに前記ＡＲ位置情報配信装置は、利用可能な無線ネットワークの中でローカルにアドレス指定可能な無線ネットワークとグローバルにアドレス指定可能な無線ネットワークとを区別し、前記ローカルにアドレス指定可能な無線ネットワークと前記グローバルにアドレス指定可能な無線ネットワークとに基づいて無線インタフェースの用途選択をつけ、前記無線インタフェースの用途選択に基づいてアプリケーションのための無線インタフェースを選択するように構成されたプロセッサと、前記プロセッサに接続されたメモリと、を備えることを特徴とするＡＲ位置情報配信装置。
【０１４７】
（付記１１）  前記利用可能な無線ネットワークは、「アドホック通信用」のローカルにアドレス指定可能な無線ローカルエリアネットワーク（ＷＬＡＮ）を含むことを特徴とする付記１０記載のＡＲ位置情報配信装置。
【０１４８】
（付記１２）  前記プロセッサは、前記アプリケーションによるＷＬＡＮインタフェースの用途選択を示す情報を取得し、前記アプリケーションのためのＷＬＡＮインタフェースを選択するように構成されたことを特徴とする付記１１記載のＡＲ位置情報配信装置。
【０１４９】
（付記１３）  前記プロセッサは、前記ローカルにアドレス指定可能なＷＬＡＮ内の局からのビーコンを受信し、前記受信したビーコンに基づいて前記ローカルにアドレス指定可能なＷＬＡＮを識別するように構成されたことを特徴とする付記１１記載のＡＲ位置情報配信装置。
【０１５０】
（付記１４）  前記ローカルにアドレス指定可能なＷＬＡＮが、ＩＥＥＥ ８０２．１１におけるアドホックネットワークである付記１１に記載のＡＲ位置情報配信装置。
【０１５１】
（付記１５）  前記利用可能な無線ネットワークは、自動ダウンロード用のグローバルにアドレス指定可能な無線ローカルエリアネットワーク（ＷＬＡＮ）を含むことを特徴とする付記１０記載のＡＲ位置情報配信装置。
【０１５２】
（付記１６）  前記プロセッサは、前記グローバルにアドレス指定可能なＷＬＡＮが利用可能である場合、ＷＬＡＮインタフェースの用途選択を自動ダウンロード用に設定し、前記ＷＬＡＮインタフェースの自動ダウンロード用の用途選択によって前記アプリケーションのために前記ＷＬＡＮインタフェースを選択するように構成されたことを特徴とする付記１５記載のＡＲ位置情報配信装置。
【０１５３】
（付記１７）  前記グローバルにアドレス指定可能なＷＬＡＮが、ＩＥＥＥ ８０２．１１におけるインフラストラクチャネットワークである付記１５に記載のＡＲ位置情報配信装置。
【０１５４】
（付記１８）  前記プロセッサは、グローバルにアドレス指定可能な無線ローカルエリアネットワーク（ＷＬＡＮ）が利用可能でない場合、ＷＬＡＮの用途選択を位置情報交換用に設定し、前記アプリケーションのために移動体通信網（無線広域ネットワーク（ＷＷＡＮ））インタフェースを選択するように構成されたことを特徴とする付記１０記載のＡＲ位置情報配信装置。
【０１５５】
（付記１９）  前記移動体通信網（無線広域ネットワーク（ＷＷＡＮ））インタフェースが、符号分割多元接続（ＣＤＭＡ）か、ユニバーサル・モバイル・テレコミュニケーション・システム（ＵＭＴＳ）か、グローバル・システム・フォー・モバイル・コミュニケーション（ＧＳＭ（登録商標））、又はそれ以外の類似の移動体通信網かであることを特徴とする付記１８に記載のＡＲ位置情報配信装置。
【０１５６】
（付記２０）  前記プロセッサは、更にアプリケーションタイプに基づいて、前記無線インタフェースの用途選択をつけるように構成されたことを特徴とする付記１０記載のＡＲ位置情報配信装置。
【０１５７】
（付記２１）  前記プロセッサは、前記アプリケーションからの接続要求を受信し、前記接続要求に応答して前記アプリケーションのための前記無線インタフェースを選択するように構成されたことを特徴とする付記１０記載のＡＲ位置情報配信装置。
【０１５８】
（付記２２）  ＡＲ位置情報配信装置と、移動局とを含む無線通信システムにおけるＡＲ位置情報交換方法であって、利用可能な無線ネットワークの中で、ローカルにアドレス指定可能な無線ネットワークとグローバルにアドレス指定可能な無線ネットワークとを区別することと、前記ローカルにアドレス指定可能な無線ネットワークと前記グローバルにアドレス指定可能な無線ネットワークに基づいて無線インタフェースの用途選択をつけることと、前記無線インタフェースの用途選択に基づいて、アプリケーションのための無線インタフェースを選択することとを含み、前記無線インタフェースの用途選択をつけることは、グローバルにアドレス指定可能な無線ローカルエリアネットワーク（ＷＬＡＮ）が利用可能である場合、ＷＬＡＮインタフェースの用途選択を自動ダウンロード用に設定することを備え、前記アプリケーションのための無線インタフェースを選択することは、前記ＷＬＡＮインタフェースの自動ダウンロード用の用途選択によって前記アプリケーションのための前記ＷＬＡＮインタフェースを選択することを備えることを特徴とするＡＲ位置情報交換方法。
【０１５９】
（付記２３）  前記無線インタフェースの用途選択をつけることは、前記グローバルにアドレス指定可能な無線ローカルエリアネットワーク（ＷＬＡＮ）が利用可能でない場合、ＷＬＡＮインタフェースの用途選択を位置情報交換用に設定することを備え、前記アプリケーションのための無線インタフェースを選択することは、前記アプリケーションのための移動体通信網（無線広域ネットワーク（ＷＷＡＮ））インタフェースを選択することを特徴とする付記２２記載のＡＲ位置情報交換方法。
【０１６０】
付記１０〜２３記載の発明によれば、上記ＡＲ機能を持つ無線通信システムにおいて、利用可能な無線ネットワークの中でローカルにアドレス指定可能な無線ネットワークとグローバルにアドレス指定可能な無線ネットワークとを区別し、前記ローカルにアドレス指定可能な無線ネットワークと前記グローバルにアドレス指定可能な無線ネットワークとに基づいて無線インタフェースの用途選択をつけ、前記無線インタフェースの用途選択に基づいてアプリケーションのための無線インタフェースを選択する技術を提供することが可能となる。
【産業上の利用可能性】
【０１６１】
本発明の活用例として、カーナビゲーションシステムや携帯電話、ＰＤＡ、ゲーム機などの携帯情報端末に利用することができ、集団で移動中などに移動局間で位置情報をやり取りし、自局の表示画面上で互いの位置関係を表示できるようにすることができる。
【０１６２】
又、単に位置情報の交換を行なうだけでなく、それを無線ネットワークの選択には活かすことができる。又、単に無線ネットワークの状態や、アプリケーションの状態で、無線ネットワークを選択するだけでなく、それを、もっと積極的に、能動的に用途別に選択することに活かすことができる。
【０１６３】
更に、全ての通信を、移動体通信網（無線広域ネットワーク（ＷＷＡＮ）、例えばＣＤＭＡ、ＵＭＴＳ、ＧＳＭ（登録商標）、又はそれ以外の類似の移動体通信網）で行なうのではなく、「自動ダウンロード用」のグローバルにアドレス指定可能なＷＬＡＮインタフェースに負荷分散することができ、移動体通信網のトラヒック・オフロード、回線費用の安価化を図ることができる。
【０１６４】
これらの効果によって、人々の社会活動の一層の効率化を図ることが可能となるとともに、社会生活を営む上での安全性を向上させることができる。
【符号の説明】
【０１６５】
１  移動体通信網（グローバルにアドレス設定可能なＷＷＡＮ）の電波
２  ＡＲ（ＡＲのアプリケーション）
３  グローバルにアドレス設定可能なＷＬＡＮの電波
４  ＡＲ（ＡＲのアプリケーション）
５  ローカルにアドレス設定可能なＷＬＡＮの電波
６ａ〜６ｃ  移動局
７  無線基地局
８  アクセスポイント
１０Ｂ１，１０Ｂ２  バス
１１  ＡＲ位置情報交換機能
１２  無線ネットワーク用途選択機能
２１、２４  画面例
２２  ホットスポットが存在するという表示
２３  友達が存在するという表示
２５  宝探しゲームの宝が存在するという表示
２６  敵が存在するという表示
３１  ユーザＡのメール１
３２  ユーザＡのメール２
３３  ユーザＢのメール１
３４  ユーザＸのメールＮ
１０１  総合網
１０１ａ  ＩＰ網
１０１ｂ  固定電話通信網
１０１ｃ  移動体通信網
１０２  ＡＲ位置情報データ交換サーバ
１０２ａ  ＡＲ位置情報データ交換サーバ
１０２ｂ  ＡＲ位置情報データ交換サーバ
１０２ｃ  ＡＲ位置情報データ交換サーバ
１０３ａ〜１０３ｃ  無線基地局
１０６ａ〜１０６ｃ  移動局
１０７ａ〜１０７ｃ  アンテナ
１０８  テレビ電話端末
１１１  無線通信装置
１１２  位置情報センサ機能
１１３  位置情報記憶部
１１４  地図データ記憶部
１１５  ステータス管理制御部
１１６  表示装置
１１７  テレビ電話機能
１２１  ネットワーク接続部
１２２  通信制御機能
１２３  ＡＲメンバデータベース登録保持機能
１２４  ＡＲ登録メンバデータベース
１２５  ＡＲ位置情報データベース登録保持検索機能
１２６  ＡＲ位置情報データベース
１２７  地図データ格納部
１２８  地図データ検索部
１２９  ステータス管理制御部
１３０  認証／課金処理部
１４３ａ〜１４３ｃ  無線基地局
１４６ａ〜１４６ｃ  移動局
１４７ａ〜１４７ｃ  アンテナ
１４８  テレビ電話端末
２００  アプリケーションのための無線インタフェースを選択する処理
２１０，２３０  グローバルにアドレス指定可能な無線ネットワーク
２１２  別の「位置情報交換用」の移動体通信網（グローバルにアドレス設定可能なＷＷＡＮ）インタフェース
２２０  ローカルにアドレス指定可能な無線ネットワーク
２２２  ローカルにアドレス指定可能なＷＬＡＮ
２３２  グローバルにアドレス指定可能なＷＬＡＮ
２５０  端末
２６０  インターネット
２６２  遠隔ノード
３２３  グローバルにアドレス指定可能なＷＬＡＮ
【図１】
0005966425.tif 000002
【図２】
0005966425.tif 000003
【図３】
0005966425.tif 000004
【図４】
0005966425.tif 000005
【図５】
0005966425.tif 000006
【図６】
0005966425.tif 000007
【図７】
0005966425.tif 000008
【図８】
0005966425.tif 000009
【図９】
0005966425.tif 000010
【図１０】
0005966425.tif 000011